(57)【要約】【課題】  システムコストの増大を小さく抑えながら、複数台の空調機器の監視を行うことが可能な監視装置等を提供する。【解決手段】  複数台の空調機器Ａ〜Ｉの監視情報をＢＭＳ監視端末１０に提供する空調監視インターフェイス３０であって、以下の機能を備えている。グループ情報選択受付部３４は、監視情報取得部３３が取得した空調機器Ａ〜Ｉの個々の監視データに基づいて行われるグループ情報作成処理の種類の選択を受け付ける。グループ情報作成処理は、１つのグループ情報を作成する処理であって、第１グループ情報作成処理の種類と第２グループ情報作成処理の種類とがある。通信部３６は、グループ情報選択受付部が受け付けた種類の選択に対応するグループ情報作成処理を実行して作成されたグループ情報を、ＢＭＳ監視端末１０に対して提供する。【選択図】      図１
2010025497.tif 000002
【特許請求の範囲】
【請求項１】
複数種類の監視対象機器を監視する上位システム（１０）に対して、前記複数種類の監視対象機器（６０，７０，Ａ〜Ｉ）のうち複数台の空調機器（Ａ〜Ｉ）の状態を示す監視情報を提供する監視装置（３０）であって、
前記空調機器のうち同一のグループに属することとする複数台の前記空調機器（Ａ〜Ｆ、Ｇ、Ｈ）の指定を受け付けるグループ指定受付部（３１）と、
前記グループ指定受付部が受け付けた情報に基づいて前記空調機器のグループ化を行うグループ作成部（３２）と、
前記グループに属している前記空調機器の個々の監視情報を取得する監視情報取得部（３３）と、
前記監視情報取得部が取得した前記空調機器の個々の監視データに基づいて１つのグループ情報を作成するグループ情報作成処理の種類である第１グループ情報作成処理および第２グループ情報作成処理のうち、いずれか一方の前記グループ情報作成処理の種類の選択を受け付けるグループ情報選択受付部（３４）と、
前記グループ情報選択受付部が受け付けた種類の選択に対応する前記グループ情報作成処理を実行して、前記グループ情報を作成するグループ情報作成部（３５）と、
前記グループ情報作成部が作成した前記グループ情報を、前記上位システム（１０）に対して提供する出力部（３６）と、
を備えた監視装置（３０）。
【請求項２】
前記第１グループ情報作成処理では、前記複数台の空調機器のうち運転中の前記空調機器が１台以上存在する場合に、運転状態を示す前記グループ情報を作成し、
前記第２グループ情報作成処理では、前記複数台の空調機器のうち全ての前記空調機器が運転中である場合に、運転状態を示す前記グループ情報を作成する、
請求項１に記載の監視装置（３０）。
【請求項３】
前記第１グループ情報作成処理では、前記グループに属している所定の前記空調機器の設定温度、前記グループに属している運転中の前記空調機器のうち所定の優先順位により定まる前記空調機器の設定温度、前記グループに属している運転中の前記空調機器の各設定温度の平均値、前記グループに属している運転中の前記空調機器の各設定温度の中で最高の設定温度、および、前記グループに属している運転中の前記空調機器の各設定温度の中で最低の設定温度、の設定温度群から選ばれる１つの前記グループ情報を作成し、
前記第２グループ情報作成処理では、前記設定温度群から選ばれる前記第１グループ情報作成処理とは異なる１つの前記グループ情報を作成する、
請求項１または２に記載の監視装置（３０）。
【請求項４】
前記第１グループ情報作成処理では、前記グループに属している所定の前記空調機器の空調対象空間温度、前記グループに属している運転中の前記空調機器のうち所定の優先順位により定まる前記空調機器の空調対象空間温度、前記グループに属している運転中の前記空調機器の各空調対象空間温度の平均値、の空調対象空間温度群から選ばれる１つの前記グループ情報を作成し、
前記第２グループ情報作成処理では、前記空調対象空間温度群から選ばれる前記第１グループ情報作成処理とは異なる１つの前記グループ情報を作成する、
請求項１から３のいずれかに記載の監視装置（３０）。
【請求項５】
前記第１グループ情報作成処理では、前記監視情報取得部が取得した前記空調機器の個々の監視情報のそれぞれの前記グループ情報を作成し、
前記出力部（３６）は、前記第１グループ情報処理による場合には前記作成されたそれぞれの前記グループ情報を時間によって切換ながら提供する、
請求項１から４のいずれかに記載の監視装置（３０）。
【請求項６】
複数種類の監視対象機器を監視する上位システム（１０）と、
前記上位システムに対して、前記複数種類の監視対象機器（６０，７０，Ａ〜Ｉ）のうち複数台の空調機器の状態を示す監視情報を提供する監視装置（３０）と、
を備え、
前記監視装置（３０）は、
前記空調機器のうち同一のグループに属することとする複数台の前記空調機器の指定を受け付けるグループ指定受付部（３１）と、
前記グループ指定受付部が受け付けた情報に基づいて前記空調機器のグループ化を行うグループ作成部（３２）と、
前記グループに属している前記空調機器の個々の監視情報を取得する監視情報取得部（３３）と、
前記監視情報取得部が取得した前記空調機器の個々の監視データに基づいて１つのグループ情報を作成するグループ情報作成処理の種類である前記第１グループ情報作成処理および前記第２グループ情報作成処理のうち、いずれか一方の前記グループ情報作成処理の種類の選択を受け付けるグループ情報選択受付部（３４）と、
前記グループ情報選択受付部が受け付けた種類の選択に対応する前記グループ情報作成処理を実行して、前記グループ情報を作成するグループ情報作成部（３５）と、
前記グループ情報作成部が作成した前記グループ情報を、前記上位システムに対して提供する出力部（３６）と、
を備えた監視システム（１００）。
【請求項７】
複数種類の監視対象機器を監視する上位システム（１０）に対して、前記複数種類の監視対象機器（６０，７０，Ａ〜Ｉ）のうち複数台の空調機器（Ａ〜Ｉ）の状態を示す監視情報を提供させるステップと、
前記空調機器のうち同一のグループに属することとする複数台の前記空調機器の指定を受け付けた場合に、前記受け付けた情報に基づいて前記空調機器のグループ化を行わせるグループ作成ステップと、
前記グループに属している前記空調機器の個々の監視情報を取得させて、前記監視情報取得部が取得した前記空調機器の個々の監視データに基づいて１つのグループ情報を作成するグループ情報作成処理の種類である前記第１グループ情報作成処理および前記第２グループ情報作成処理のうち、いずれか一方の前記グループ情報作成処理の種類の選択を受け付けた場合に、前記受け付けた種類の選択に対応する前記グループ情報作成処理を実行させて、前記グループ情報を作成させるグループ情報作成ステップと、
前記グループ情報作成部が作成した前記グループ情報を、前記上位システムに対して提供させる出力ステップと、
をコンピュータ（３０）に実行させる、
監視プログラム（Ｐ）。
【発明の詳細な説明】
【技術分野】
【０００１】
本発明は、空気調和装置の監視装置、監視システムおよび監視プログラムに関する。
【背景技術】
【０００２】
近年、ビルマネジメントシステム（以下、単にＢＭＳという。）という、設備機器の監視システムが普及している。
【０００３】
このＢＭＳでは、ビルオーナ、ビル監視スタッフおよびビルユーザとの間で監視情報を共有したり連携させたりすることで、設備機器の監視を行うと、ライフサイクルコストの低減、監視品質の向上、および、業務の効率化等を図っている。
【０００４】
また、建物監視ノウハウを導入したり、先端監視技術を導入することで、ユーザに対して、最新のサービスを提供することを可能にしている。
【０００５】
例えば、以下に記載の特許文献１に示す監視装置では、ディスプレイに表示されているサマリグラフにおいて、所望の監視ポイントを指定し、マウスを右クリックすることで、その監視ポイントに関連する中央監視装置およびビルマネジメントシステムが監視している全ての画面がピックアップされる。そして、このピックアップされた画面のリストが、画面リストとして表示される。この画面リスト中、所望のリスト項目を指定してマウスを左クリックすることで、そのリスト項目に対応する画面の実画面が呼び出され、ディスプレイに表示される、という監視装置を提案している。
【０００６】
この監視装置によると、簡単な操作で即座に所望の監視ポイントの詳細情報をサマリグラフから取得することができる。
【特許文献１】特開２００３−８５２５８号公報
【発明の開示】
【発明が解決しようとする課題】
【０００７】
しかし、上述のような監視装置では、監視対象として設定する対象の数が増大すればするほど、システムコストが増大してしまう。
【０００８】
本発明の課題は、監視対象の空調機器の台数が増大する場合であってもシステムコストの増大を小さく抑えながら、複数台の空調機器の監視を行うことが可能な監視装置、監視システムおよび監視プログラムを提供することにある。
【課題を解決するための手段】
【０００９】
第１発明の監視装置は、複数種類の監視対象機器を監視する上位システムに対して、複数種類の監視対象機器のうち複数台の空調機器の状態を示す監視情報を提供する監視装置であって、グループ指定受付部、グループ作成部、監視情報取得部、グループ情報選択受付部、グループ情報作成部および出力部を備えている。グループ指定受付部は、空調機器のうち同一のグループに属することとする複数台の空調機器の指定を受け付ける。グループ作成部は、グループ指定受付部が受け付けた情報に基づいて空調機器のグループ化を行う。監視情報取得部は、グループに属している空調機器の個々の監視情報を取得する。グループ情報選択受付部は、監視情報取得部が取得した空調機器の個々の監視データに基づいて行われるグループ情報作成処理の種類の選択を受け付ける。グループ情報作成処理は、１つのグループ情報を作成する処理であって、第１グループ情報作成処理の種類と第２グループ情報作成処理の種類とがある。グループ情報作成部は、グループ情報選択受付部が受け付けた種類の選択に対応するグループ情報作成処理を実行して、グループ情報を作成する。出力部は、グループ情報作成部が作成したグループ情報を、上位システムに対して提供する。
【００１０】
この監視装置では、監視対象機器のうち複数台の空調機器の状態を示す監視情報の１つであるグループ情報を、上位システムに対して提供する。ここで、グループ作成部によってグループ化された空調機器グループの情報は１つにまとめられているため、複数台の空調機器の状態を示す情報として各空調機器に対応する複数の情報が存在しても、監視装置が扱う監視情報の個数を少なく抑えることができている。このため、システムコストの増大を小さく抑えることができている。そして、ここでは、このグループ化された空調機器についての監視情報であるグループ情報の作成処理の種類として、第１グループ情報作成処理と第２グループ情報作成処理とがある。このため、グループ情報作成処理によって作成されるグループ情報の種類を選択することができる。このように、複数台の空調機器の状態がまとまった１つの情報として扱われても、グループ情報作成処理の種類をユーザが選択できるために、ユーザの望む情報量を提供することが可能になっている。
【００１１】
このように、監視対象の空調機器の台数が増大する場合であってもシステムコストの増大を小さく抑えながら、複数台の空調機器の監視を行うことが可能になる。
【００１２】
第２発明の監視装置は、第１発明の監視装置であって、第１グループ情報作成処理では、複数台の空調機器のうち運転中の空調機器が１台以上存在する場合に、運転状態を示すグループ情報を作成する。第２グループ情報作成処理では、複数台の空調機器のうち全ての空調機器が運転中である場合に、運転状態を示すグループ情報を作成する。
【００１３】
この監視装置では、複数の空調機器の監視に際して、運転していると判断する状態についての基準を切り換えて選択的に設定することができる。
【００１４】
これにより、監視対象である空調機器の監視内容に応じたグループ情報を得ることができるようになるため、監視対象の空調機器の種類や監視しようとする内容に応じた監視を、システムコストを小さく抑えながら行うことが可能になる。
【００１５】
第３発明の監視装置は、第１発明または第２発明の監視装置であって、第１グループ情報作成処理では、グループに属している所定の空調機器の設定温度、グループに属している運転中の空調機器のうち所定の優先順位により定まる空調機器の設定温度、グループに属している運転中の空調機器の各設定温度の平均値、グループに属している運転中の空調機器の各設定温度の中で最高の設定温度、および、グループに属している運転中の空調機器の各設定温度の中で最低の設定温度、の設定温度群から選ばれる１つのグループ情報を作成する。第２グループ情報作成処理では、設定温度群から選ばれる第１グループ情報作成処理とは異なる１つのグループ情報を作成する。
【００１６】
この監視装置では、複数の空調機器の監視に際して、設定温度に関する監視を行う際の基準を切り換えて選択的に設定することができる。
【００１７】
第４発明の監視装置は、第１発明から第３発明のいずれかの監視装置であって、第１グループ情報作成処理では、グループに属している所定の空調機器の空調対象空間温度、グループに属している運転中の空調機器のうち所定の優先順位により定まる空調機器の空調対象空間温度、グループに属している運転中の空調機器の各空調対象空間温度の平均値、の空調対象空間温度群から選ばれる１つのグループ情報を作成する。第２グループ情報作成処理では、空調対象空間温度群から選ばれる第１グループ情報作成処理とは異なる１つのグループ情報を作成する。
【００１８】
この監視装置では、複数の空調機器の監視に際して、空調対象空間温度に関する監視を行う際の基準を切り換えて選択的に設定することができる。
【００１９】
第５発明の監視装置は、第１発明から第４発明のいずれかの監視装置であって、第１グループ情報作成処理では、監視情報取得部が取得した空調機器の個々の監視情報のそれぞれのグループ情報を作成する。出力部は、第１グループ情報処理による場合には作成されたそれぞれのグループ情報を時間によって切換ながら提供する。
【００２０】
この監視装置では、同時に２つ以上のグループ情報を処理することなく、１つのグループ情報を処理しながら、時間によって情報を切り換えて出力することで、より多くの情報を出力することができるようになる。
【００２１】
第６発明の監視システムは、上位システムおよび監視装置を備えている。上位システムは、複数種類の監視対象機器を監視する。監視装置は、上位システムに対して、複数種類の監視対象機器のうち複数台の空調機器の状態を示す監視情報を提供する。この監視装置は、グループ指定受付部、グループ作成部、監視情報取得部、グループ情報選択受付部、グループ情報作成部および出力部を備えている。グループ指定受付部は、空調機器のうち同一のグループに属することとする複数台の空調機器の指定を受け付ける。グループ作成部は、グループ指定受付部が受け付けた情報に基づいて空調機器のグループ化を行う。監視情報取得部は、グループに属している空調機器の個々の監視情報を取得する。グループ情報選択受付部は、監視情報取得部が取得した空調機器の個々の監視データに基づいて１つのグループ情報を作成するグループ情報作成処理の種類である第１グループ情報作成処理および第２グループ情報作成処理のうち、いずれか一方のグループ情報作成処理の種類の選択を受け付ける。グループ情報作成部は、グループ情報選択受付部が受け付けた種類の選択に対応するグループ情報作成処理を実行して、グループ情報を作成する。出力部は、グループ情報作成部が作成したグループ情報を、上位システムに対して提供する。
【００２２】
この監視システムでは、監視対象機器のうち複数台の空調機器の状態を示す監視情報の１つであるグループ情報を、上位システムに対して監視装置が提供する。ここで、グループ作成部によってグループ化された空調機器グループの情報は１つにまとめられているため、複数台の空調機器の状態を示す情報として各空調機器に対応する複数の情報が存在しても、監視装置が扱う監視情報の個数を少なく抑えることができている。このため、システムコストの増大を小さく抑えることができている。そして、ここでは、このグループ化された空調機器についての監視情報であるグループ情報の作成処理の種類として、第１グループ情報作成処理と第２グループ情報作成処理とがある。このため、グループ情報作成処理によって作成されるグループ情報の種類を選択することができる。このように、複数台の空調機器の状態がまとまった１つの情報として扱われても、グループ情報作成処理の種類をユーザが選択できるために、ユーザの望む情報量を提供することが可能になっている。
【００２３】
このように、監視対象の空調機器の台数が増大する場合であってもシステムコストの増大を小さく抑えながら、複数台の空調機器の監視を行うことが可能になる。
【００２４】
第７発明の監視プログラムでは、以下のステップをコンピュータに実行させる。監視プログラムは、コンピュータに、複数種類の監視対象機器を監視する上位システムに対して、複数種類の監視対象機器のうち複数台の空調機器の状態を示す監視情報を提供させる。監視プログラムは、コンピュータに、空調機器のうち同一のグループに属することとする複数台の空調機器の指定を受け付けた場合に、受け付けた情報に基づいて空調機器のグループ化を行わせる。監視プログラムは、コンピュータに、グループに属している空調機器の個々の監視情報を取得させて、監視情報取得部が取得した空調機器の個々の監視データに基づいて１つのグループ情報を作成するグループ情報作成処理の種類である第１グループ情報作成処理および第２グループ情報作成処理のうち、いずれか一方のグループ情報作成処理の種類の選択を受け付けた場合に、受け付けた種類の選択に対応するグループ情報作成処理を実行させて、グループ情報を作成させる。監視プログラムは、コンピュータに、グループ情報作成部が作成したグループ情報を、上位システムに対して提供させる。
【００２５】
この監視プログラムでは、コンピュータに、監視対象機器のうち複数台の空調機器の状態を示す監視情報の１つであるグループ情報を、上位システムに対して提供させる。ここで、グループ作成部によってグループ化された空調機器グループの情報は１つにまとめられているため、複数台の空調機器の状態を示す情報として各空調機器に対応する複数の情報が存在しても、監視装置が扱う監視情報の個数を少なく抑えることができている。このため、システムコストの増大を小さく抑えることができるようになる。そして、ここでは、このグループ化された空調機器についての監視情報であるグループ情報の作成処理の種類として、第１グループ情報作成処理と第２グループ情報作成処理とがある。このため、グループ情報作成処理によって作成されるグループ情報の種類の選択を受け付けて監視プログラムがコンピュータに処理させることができる。このように、複数台の空調機器の状態がまとまった１つの情報として扱われても、グループ情報作成処理の種類をユーザが選択できるために、ユーザの望む情報量を提供することを可能にしている。
【００２６】
このように、監視対象の空調機器の台数が増大する場合であってもシステムコストの増大を小さく抑えながら、複数台の空調機器の監視を行うことを可能にしている。
【発明の効果】
【００２７】
第１発明の監視装置では、監視対象の空調機器の台数が増大する場合であってもシステムコストの増大を小さく抑えながら、複数台の空調機器の監視を行うことが可能になる。
【００２８】
第２発明の監視装置では、監視対象の空調機器の種類や監視しようとする内容に応じた監視を、システムコストを小さく抑えながら行うことが可能になる。
【００２９】
第３発明の監視装置では、複数の空調機器の監視に際して、設定温度に関する監視を行う際の基準を切り換えて選択的に設定することができる。
【００３０】
第４発明の監視装置では、複数の空調機器の監視に際して、空調対象空間温度に関する監視を行う際の基準を切り換えて選択的に設定することができる。
【００３１】
第５発明の監視装置では、時間によって情報を切り換えて出力することで、より多くの情報を出力することができるようになる。
【００３２】
第６発明の監視システムでは、監視対象の空調機器の台数が増大する場合であってもシステムコストの増大を小さく抑えながら、複数台の空調機器の監視を行うことが可能になる。
【００３３】
第７発明の監視プログラムでは、監視対象の空調機器の台数が増大する場合であってもシステムコストの増大を小さく抑えながら、複数台の空調機器の監視を行うことを可能にしている。
【発明を実施するための最良の形態】
【００３４】
以下、本発明の一実施形態にかかる監視システム１００を、図面に基づいて詳細に説明する。
【００３５】
＜システム構成＞
図１は、この発明の一実施形態にかかる監視システム１００のハードウェア構成を示すブロック図である。
【００３６】
監視システム１００は、ビルマネジメントシステム監視端末１０が通信ラインを介して複数種類の設備機器の監視を行うシステムであって、ビルマネジメントシステム監視端末１０、照明機器４０、エレベータ５０、空調監視インターフェイス３０等が互いに通信ラインを介して接続されることで構成されている。
【００３７】
ビルマネジメントシステム監視端末１０（以下、単にＢＭＳ監視端末１０と呼ぶ。）は、照明機器６０、エレベータ７０、空調監視インターフェイス３０等から送信されてくる各機器の情報を処理して、出力することで監視を行う装置である。このＢＭＳ監視端末１０は、各監視対象である照明機器６０、エレベータ７０、空調監視インターフェイス３０等から見て、上位の装置として位置づけられている。
【００３８】
照明機器６０は、特定のエリアに設けられた照明機器がＯＮ状態かＯＦＦ状態かのいずれの状態であるのかを示す監視情報を、ＢＭＳ監視端末１０に対して通信ラインを介して送信する。
【００３９】
エレベータ７０は、特定のエレベータが利用可能な状態か否かを示す監視情報を、ＢＭＳ監視端末１０に対して通信ラインを介して送信する。
【００４０】
空調監視インターフェイス３０は、複数の空調機器Ａ〜Ｉを監視し、得られる監視情報をＢＭＳ監視端末１０に対して通信ラインを介して送信する。ここで、複数の空調機器Ａ〜Ｉは、図１および監視のイメージを示す図２に示すように、いくつかのグループに分類されている。そして、グループ毎にまとまった１つの監視情報をＢＭＳ監視端末１０に対して送信している。
【００４１】
空調機器Ａ〜Ｉは、それぞれが、自己の運転状態、異常の有無、設定温度、室内機が設置されている場所の室温、運転モードおよび風向、風量等の空調機器に関する監視情報を取得する。具体的には、運転状態、異常の有無、設定温度、運転モード、風向、風量については、各空調機器Ａ〜Ｉの制御部が制御している情報であり、室温は、各空調機器の室内機が設置されている空間の温度センサ等から得られる情報である。
【００４２】
（空調監視インターフェイス３０）
空調監視インターフェイス３０は、図３において詳細な内部構成として示されているように、グループ指定受付部３１、グループ作成部３２、監視情報取得部３３、グループ情報選択受付部３４、グループ情報作成部３５、通信部３６、メモリ３７および監視プログラムＰを備えている。なお、グループ指定受付部３１、グループ情報選択受付部３４は、具体的には、キーボードやマウスといったユーザが操作することで情報を入力するものが相当する。メモリ３７には、後述する第１グループ情報作成処理および第２グループ情報作成処理を行うための情報処理手順が格納されている。また、監視プログラムＰも、別途格納されている。
【００４３】
グループ作成部３２は、ユーザによってグループ指定受付部３１により入力されたグルーピングデータに基づいて、図１に示すように、第１空調グループ４１、第２空調グループ４２、第３空調グループ４３・・・を作成する。図１、図２では、ユーザによって、第１空調グループ４１に空調機器Ａ〜Ｆが、第２空調グループ４２に空調機器Ｇ、Ｈが、第３空調グループ４３に空調機器Ｉが、それぞれグルーピングされた場合を例に挙げて示している。このグループ作成部３２によるグルーピング処理によって、空調監視インターフェイス３０は、各グループに分けられていることを把握する。
【００４４】
監視情報取得部３３は、各空調機器Ａ〜Ｉから、図４に示すような、運転状態、異常の有無、設定温度、室内機が設置されている場所の室温、運転モード、風向、風量等の空調機器に関する監視情報を取得する。具体的には、この監視情報取得部３３は、各空調機器Ａ〜Ｉと接続されており、各空調機器Ａ〜Ｉがそれぞれ取得した情報を吸い上げることができるようになっている。
【００４５】
グループ情報選択受付部３４は、図４に示すように、監視情報取得部３３が取得した監視情報を、項目毎に、各グループ別に処理するための処理手順として、複数種類の情報作成処理である第１グループ情報作成処理、第２グループ情報作成処理・・・のうち、いずれの情報作成処理によって処理するかについて、ユーザから指定選択の指示を受け付ける。ここでは、第１グループ情報作成処理、第２グループ情報作成処理・・・の処理手順について、メモリ３７に格納されている。
【００４６】
グループ情報作成部３５は、これらのグループ情報選択受付部３４が受け付けた選択に基づいたグループ情報作成処理を実行することで、項目毎に、グループ毎のグループ情報を作成する。
【００４７】
なお、項目によっては、選択が不要な監視情報も存在する。例えば、異常が生じたか否かについては、グループに属している空調機器のうち、１台でも異常が生じると、グループ全体の１つの情報として『異常』である旨が示され、異常の空調機器がグループ内に存在しない状態では異常である旨は示されない。
【００４８】
また、例えば、図４に示すように、監視情報の項目として、運転状態を例に挙げて説明する。運転状態の項目について、グループ情報選択受付部３４が、ユーザから『運転状態』の項目について『選択１』を選択する旨の入力を受け付けた場合には、グループ情報作成部３５は、メモリ３７に格納されている運転状態の項目の第１グループ情報作成処理を読み出して、監視情報取得部３３が取得した情報を処理し、グループ情報を作成する。ここでは、選択１が指定されているので、グループに属する空調機器のうち一台でも運転状態にある場合には、グループ全体として運転状態にあるものとして処理する。また、グループに属する空調機器の全てが運転停止状態にある場合には、グループ全体として停止状態にあるものとして処理する。例えば、図２では、四角のチェックボックスにチェックが入っている機器は運転中であり、チェックが入っていない機器は停止中である場合として表示している。第１空調グループに着目すると、第１空調グループ４１の空調機器Ａ〜Ｆのうち、停止状態にあるのは空調機器Ａ、Ｄのみであり、他の空調機器Ｂ，Ｃ，Ｅ，Ｆは運転中である。このため、第１空調グループ４１に１台以上運転中の機器が存在しているため、第１空調グループ４１全体のグループ情報としては、『運転中』という内容になる。そして、この第１空調グループ４１が『運転中』であるという内容は、通信部３６が通信ラインを介してＢＭＳ監視端末１０に対して送信する。これにより、図２に示すように、ＢＭＳ監視端末１０において、第１空調グループ４１が『運転中』であると認識させることができるようになっている。ここで、ＢＭＳ監視端末１０においては、空調機器Ａ〜Ｆの個々の情報を別々に処理するのではなく、これらをまとめた１つの情報を処理すればよいため、情報処理量を少なく抑えて、システムコストを低減させることができている。また、ユーザによってグループ毎の監視の評価の仕方が複数の選択枝の中から選択されているため、単に情報処理量を少なく抑えるだけでなく、必要な情報を監視において有効に反映させることも同時に可能にしている。
【００４９】
他方、運転状態の項目について、グループ情報選択受付部３４が、ユーザから『運転状態』の項目について『選択１』ではなく『選択２』を選択する旨の入力を受け付けた場合には、グループ情報作成部３５は、メモリ３７に格納されている運転状態の項目の第２グループ情報作成処理を読み出して、監視情報取得部３３が取得した情報を処理し、グループ情報を作成する。ここでは、選択２が指定されているので、グループに属する空調機器の全てが運転状態にある場合に、グループ全体として運転状態にあるものとして処理する。また、グループに属する空調機器の１台でも運転停止の状態にあれば、グループ全体として停止状態にあるものとして処理する。この場合、上記『選択１』が指定された場合とＢＭＳ監視端末１０において表示出力される監視情報が異なってくる。すなわち、第１空調グループに着目すると、第１空調グループ４１の空調機器Ａ〜Ｆのうち、空調機器Ａ、Ｄが停止状態にあり、他の空調機器Ｂ，Ｃ，Ｅ，Ｆは運転中である。このため、第１空調グループ４１の全ての空調機器が運転状態であるとはいえないため、第１空調グループ４１全体のグループ情報としては、『停止中』という内容になり、上記『選択１』の『運転中』との内容と異なってくる。このように、ユーザは、選択の指定を変えることで、監視情報として得られるデータの性質を変えることができる。このため、情報処理量を少なく抑えつつ、ユーザの望む監視情報を得ることが可能になっている。
【００５０】
このほかにも、『設定温度』の項目については、図４に示すように、例えば、『選択１』〜『選択６』までの選択枝が用意されている。ここでは、『選択１』が指定された場合には、設定温度として、常に予め指定した空調機器の設定温度を監視情報として扱う。『選択２』が指定された場合には、設定温度として、運転している空調機器の設定温度であって予め定めた優先順位（例えば、Ａからアルファベット順に）によって特定される空調機器の設定温度を監視情報として扱う。『選択３』が指定された場合には、設定温度として、運転している空調機器の設定温度の平均値を監視情報として扱う。『選択４』が指定された場合には、設定温度として、運転している空調機器の設定温度を一定時間ごとに対象空調機器を変更しながら取得して監視情報として扱うサイクリック処理を行う。このサイクリック処理では、同時に２つ以上のグループ情報を処理することなく、１つのグループ情報を処理しながら、時間によって情報を切り換えて出力することで、より多くの情報を出力することができる。『選択５』が指定された場合には、設定温度として、運転している空調機器の設定温度のうち最高の設定温度を監視情報として扱う。『選択６』が指定された場合には、設定温度として、運転している空調機器の設定温度のうち最低の設定温度を監視情報として扱う。
【００５１】
また、『室温』の項目については、図４に示すように、例えば、『選択１』〜『選択３』の選択枝が用意されている。ここでは、『選択１』が指定された場合には、室温として、常に予め指定した空調機器が計測する室温を監視情報として扱う。『選択２』が指定された場合には、室温として、運転している空調機器が計測する室温であって予め定めた優先順位（例えば、Ａからアルファベット順に）によって特定される空調機器の室温を監視情報として扱う。『選択３』が指定された場合には、室温として、運転している空調機器の計測した室温の平均値を監視情報として扱う。
【００５２】
また、冷房運転、暖房運転、除湿運転等を示す『運転モード』の項目については、図４に示すように、例えば、『選択１』、『選択２』の選択枝が用意されている。ここでは、『選択１』が指定された場合には、運転モードとして、常に予め指定した空調機器が実行中の運転モードを監視情報として扱う。『選択２』が指定された場合には、運転モードとして、運転している空調機器が実行中の運転モードであって予め定めた優先順位（例えば、Ａからアルファベット順に）によって特定される空調機器の運転モードを監視情報として扱う。
【００５３】
また、『風向、風量』の項目については、図４に示すように、例えば、『選択１』、『選択２』の選択枝が用意されている。ここでは、『選択１』が指定された場合には、風向、風量として、常に予め指定した空調機器が設定している風向および風量を監視情報として扱う。『選択２』が指定された場合には、風向、風量として、運転している空調機器が設定している風向および風量であって予め定めた優先順位（例えば、Ａからアルファベット順に）によって特定される空調機器の風向および風流を監視情報として扱う。
【００５４】
なお、上述のグループ指定受付部３１、グループ作成部３２、監視情報取得部３３、グループ情報選択受付部３４、グループ情報作成部３５、通信部３６およびメモリ３７を用いた情報処理については、監視プログラムＰが図示しないＣＰＵ等において実行されることで行われる。
【００５５】
（ＢＭＳ監視端末１０）
ＢＭＳ監視端末１０は、図３に示すように、各下位の監視対象からの監視情報を通信ラインを介して取得し、処理し、表示出力させる端末であって、データベース１１、表示部１２、通信部１３、情報処理部１４等を備えている。
【００５６】
このＢＭＳ監視端末１０は、照明機器６０、エレベータ７０、空調監視インターフェイス３０等からの監視情報を、通信部１３によって、通信ラインを介して取得する。
【００５７】
そして、取得した各監視対象の監視情報を、データベース１１に格納された監視対象および監視項目内容が対応されたデータに基づいて、情報処理部１４が処理する。情報処理部１４が処理して得られた情報は、表示部１２を介して表示出力される。
【００５８】
ＢＭＳ監視端末１０の表示部１２に表示出力された監視データは、ＢＭＳ監視端末１０のシステムエンジニアによって監視される等によって、各設備機器の監視が行われる。
【００５９】
＜本実施形態の特徴＞
本実施形態の監視システム１００では、空調監視インターフェイス３０が、空調機器Ａ〜Ｆの個々の情報を別々に処理するのではなく、これらをまとめた１つの情報を処理している。このため、情報処理量を少なく抑えて、システムコストを低減させることができている。また、ユーザによってグループ毎の監視の評価の仕方が複数の選択枝の中から選択されているため、単に情報処理量を少なく抑えるだけでなく、必要な情報を監視において有効に反映させることも同時に可能にしている。
【００６０】
また、セントラル空調システムから、可変冷媒流量制御システム（いわゆるＶＲＶ（Variable Refrigerant Volumeによるシステム））に、空調システムを変更した場合には、監視対象となる空調機器が増大することになる。このような場合に、上記監視システム１００が特に有効となる。
【００６１】
＜変形例＞
（Ａ）
上記実施形態のサイクリック処理では、設定温度の項目について、対象となる空調機器を一定時間で変更しつつ処理する場合を例に挙げて説明した。
【００６２】
しかし、本発明はこれに限られるものではなく、例えば、他の運転状態、室温、運転モード、風向および風量の項目についても、サイクリック処理を行うようにしてもよい。
【００６３】
また、このサイクリック処理は、予め定めた一定時間の経過によって取得対象の空調機器を切り替えるのではなく、例えば、設定温度の項目については、設定温度を変更した空調機器が現れた時点で、その設定温度が変更された空調機器の新たに設定された設定温度を監視情報として取得するようにすることを繰り返すようにしてもよい。
（Ｂ）
監視システム１００で示した監視内容に限られず、例えば、空調機器の警報を収集し、発生件数を機器別、設備別に集計、蓄積し、傾向分析による機器メンテナンスや更新計画の立案を支援する等によって監視を充実させてもよい。また、トラブル対応履歴、修繕履歴、保全スケジュール、予備品消耗品、業者連絡先、報告書作成(業務日誌)等を監視対象として含めてもよい。
【００６４】
さらに、設備機器の稼働時間および機器別の稼動状況を監視してもよい。また、冷房／暖房、放熱／蓄熱などの熱源、空調系の評価に適したグラフ設計を行うことで、建物の消費エネルギの傾向を詳細に把握するようにしてもよい。テナントの電気、ガス、水道使用量を自動検針し、毎月それぞれの使用量を算出することで、水道光熱費の請求金額を算出し、賃料などの定額費目や、雑費などの手入力料金費目を加えて、各テナントの料金計算書を出力できるようにしてもよい。
【産業上の利用可能性】
【００６５】
本発明によれば、監視対象の空調機器の台数が増大する場合であってもシステムコストの増大を小さく抑えながら、複数台の空調機器の監視を行うことが可能なため、複数の設備機器の監視を行う監視装置、監視システムおよび監視プログラムに特に有用である。
【図面の簡単な説明】
【００６６】
【図１】本発明の一実施の形態にかかる監視システムのブロック図である。
【図２】監視システムにおいて処理される対象となるデータを説明する説明図である。
【図３】ＢＭＳ監視端末および空調監視インターフェイスの内部構成を示す図である。
【図４】各項目毎の選択受付に対応する処理の内容を示す図である。
【符号の説明】
【００６７】
１０  ＢＭＳ監視端末
１１  データベース
１２  表示部
１３  通信部
１４  情報処理部
３０  空調監視インターフェイス
３１  グループ指定受付部
３２  グループ作成部
３３  監視情報取得部
３４  グループ情報選択受付部
３５  グループ情報作成部
３６  通信部
３７  メモリ
４１  第１空調グループ
４２  第２空調グループ
４３  第３空調グループ
６０  照明機器
７０  エレベータ
Ａ〜Ｉ  空調機器
Ｐ  監視プログラム
【図１】
2010025497.tif 000003
【図２】
2010025497.tif 000004
【図３】
2010025497.tif 000005
【図４】
2010025497.tif 000006